(57)【要約】【課題】内容物の回転や移動を防止するように固定しつつ、且つ視認性を確保することにより優れた店頭展示性を得ることができる。【解決手段】長尺の台紙３と、歯ブラシ２を収容する収容部４１を形成したブリスター４と、を備え、ブリスター４は、台紙３に対して封止した状態で、収容部４１における台紙３の長手方向Ｘの両側に、歯ブラシ２を固定するための固定部４２、４３を有し、収容部４１のうち固定部４２、４３同士の間の天壁４４が全体にわたって滑らかな一つの平坦面に形成された構成のブリスターパック１を提供する。【選択図】図１
2014172629.tif 000002
【特許請求の範囲】
【請求項１】
長尺の台紙と、内容物を収容する収容部を形成したブリスターと、を備えたブリスターパックであって、
前記ブリスターは、
前記台紙に対して封止した状態で、前記収容部における前記台紙の長手方向の両側に、前記内容物を固定するための固定部を有し、
前記収容部のうち前記固定部同士の間の天壁が全体にわたって滑らかな一つの平坦面に形成されていることを特徴とするブリスターパック。
【請求項２】
前記天壁は、側面視で前記長手方向の中間部が凸となる一つの凸形状をなしていることを特徴とする請求項１に記載のブリスターパック。
【請求項３】
前記天壁は、前記台紙と平行な面を有することを特徴とする請求項１又は２に記載のブリスターパック。
【発明の詳細な説明】
【技術分野】
【０００１】
本発明は、歯ブラシ用として用いられるブリスターパックに関する。
【背景技術】
【０００２】
従来、歯ブラシ容器として、台紙の表面側で歯ブラシが収容されるブリスター部分がドーム形状に突出しているブリスターパックが知られている。このようなブリスターパックでは、例えば下記特許文献１に示されているような、ブリスターパック内での歯ブラシの回転や移動を防止するために歯ブラシのハンドル形状に合わせた形状の凹凸部を有するドーム形状を採用している。
【先行技術文献】
【特許文献】
【０００３】
【特許文献１】特開２００３−１５５０６１号公報
【発明の概要】
【発明が解決しようとする課題】
【０００４】
しかしながら、従来のブリスターパックでは、ドーム状部分を歯ブラシのハンドル形状に沿った凹凸を有する形状となっており、その凹凸の稜線が台紙表面に表示されているデザインや文字、或いは歯ブラシのハンドル部と重なって見えることから、視認性が悪く、店頭展示性が低下するという問題があった。
そのため、歯ブラシの回転や移動を防止するよう固定できる点と、優れた視認性とをバランス良く達成することができるブリスターパックが求められていた。
【０００５】
本発明は、このような事情に鑑みてなされたものであって、内容物の回転や移動を防止するように固定しつつ、且つ視認性を確保することにより優れた店頭展示性を得ることができるブリスターパックを提供することを目的とする。
【課題を解決するための手段】
【０００６】
上記目的を達成するため、本発明に係るブリスターパックでは、長尺の台紙と、内容物を収容する収容部を形成したブリスターと、を備えたブリスターパックであって、前記ブリスターは、前記台紙に対して封止した状態で、前記収容部における前記台紙の長手方向の両側に、前記内容物を固定するための固定部を有し、前記収容部のうち前記固定部同士の間の天壁が全体にわたって滑らかな一つの平坦面に形成されていることを特徴としている。
【０００７】
本発明では、ブリスターの収容部の天壁が全体にわたって滑らかな一つの平坦面を形成しており、ブリスターパックを正面から見たときにブリスターの天壁に屈曲線が無い構成となる。そのため、内容物や台紙の表面に記載された表示部分が変形するなど歪んで見え難くなることがなく、視認性が良好となり、店頭表示性の向上を図ることができる。
しかも、内容物の長さ方向の両端がブリスターの固定部によって固定されているので、内容物がブリスターの収容部内で回転したり移動したりすることがなく、同じ姿勢を保持することができることから、前記店頭表示性を確保することができる。
【０００８】
また、本発明のブリスターパックでは、前記天壁は、側面視で前記長手方向の中間部が凸となる一つの凸形状をなしていることが好ましい。
【０００９】
この場合には、ブリスターの天壁が一つのみの凸形状であり全体的に平坦面をなしているので、台紙の中間部分に記載された表示や内容物の形状の視認性の向上を図ることができる。
【００１０】
また、本発明のブリスターパックでは、前記天壁は、前記台紙と平行な面を有することが好ましい。
【００１１】
本発明では、一方のブリスターパックの天壁の平行面と、他方のブリスターパックの台紙の裏面とを平行に合わせて配列することができるので、複数のブリスターパックの整列性を向上させることができ、店頭展示性を高めることができる。
【発明の効果】
【００１２】
本発明に係るブリスターパックによれば、内容物の回転や移動を防止するように固定しつつ、且つ視認性を確保することにより優れた店頭展示性を得ることができるという効果を奏する。
【図面の簡単な説明】
【００１３】
【図１】本発明の第１の実施の形態よる歯ブラシが収容されたブリスターパックの斜視図である。
【図２】図１において、歯ブラシが収容されていないブリスターパックの斜視図である。
【図３】図１に示すブリスターパックの上面図である。
【図４】ブリスターパックの側面図であって、図１に示すＡ−Ａ線矢視図である。
【図５】図３に示すＢ−Ｂ線断面図である。
【図６】第２の実施の形態によるブリスターパックの側面図である。
【図７】第３の実施の形態によるブリスターパックの側面図である。
【図８】第４の実施の形態によるブリスターパックの斜視図である。
【図９】図８に示すブリスターパックの側面図である。
【発明を実施するための形態】
【００１４】
以下、本発明によるブリスターパックの実施の形態について図面を参照して説明する。
【００１５】
（第１の実施の形態）
図１乃至図５に示すように、本実施の形態のブリスターパック１は、長尺の台紙３と、歯ブラシ２（内容物）を収容する収容部４１を形成したブリスター４と、を備えている。
【００１６】
歯ブラシ２は、図１、図３、及び図４に示すように、植毛部２１、首部２２、ハンドル部２３からなる。植毛部２１には、図示しないキャップを被着させたものであっても良い。歯ブラシ２は、縦長の台紙３の表面３ａ側に対して植毛部２１が横向きとなる姿勢で配置させてブリスター４の収容部４１に収容され、ブリスター４の周縁部４ａが台紙３の表面３ａに接着されている。なお、収容部４１内の歯ブラシ２の姿勢は任意に設定することができる。
【００１７】
台紙３は、収容される歯ブラシ２が配置される本体部３１と、本体部３１の長手方向の一端に連設されるとともに該本体部３１を店頭に陳列する際に図示しない棒状部材等に引掛けるために鍵状に形成された係止部３２と、を備えている。
【００１８】
ここで、以下の説明では、ブリスターパック１において、長尺の台紙３の本体部３１に沿う方向を長手方向Ｘといい、長手方向Ｘで歯ブラシ２の植毛部２１が設けられる側を上側といい、植毛部２１とは反対側を下側という。
【００１９】
台紙３は、接着剤によって収容部４１を有するブリスター４の周縁部４ａに接着されている。この接着剤としては、例えばヒートシール剤やホットメルトタイプのもの等が一例として挙げられる。紙材としては、例えば２７０ｇ／ｍ２のものを採用することができる。  なお、台紙３には、紙台紙のみではなく、ユポのような合成紙を使用してもよい。
【００２０】
ブリスター４は、周縁部４ａが台紙３の表面３ａの全周にわたって接着されるとともに、ブリスター４、台紙３に対して封止した状態で、収容部４１における台紙３の長手方向Ｘの両側（上側及び下側）に、歯ブラシ２を固定するための固定部４２、４３を有し、収容部４１のうち固定部４２、４３同士の間の天壁４４が全体にわたって滑らかな一つの平坦面に形成されている。台紙３の上側に位置する一方の第１固定部４２は、歯ブラシ２の植毛部２１を台紙３の表面３ａとの間で挟持するようにして固定している。下側に位置する他方の第２固定部４３は、歯ブラシ２のハンドル部２３の末端２３ａを台紙３の表面３ａとの間で挟持するようにして固定している。
【００２１】
ブリスター４の天壁４４は、図４に示すように、長手方向Ｘに沿って上側から中間部（頂部４４ａ）へ向かうに従い漸次台紙３から離れるとともに、さらに長手方向Ｘで頂部４４ａから下側へ向かうに従い漸次台紙３に近接する、長手方向Ｘに対して直交する方向から見た図４に示す側面視で滑らかな一つの凸形状をなしている。
【００２２】
ブリスター４として、例えばポリエステル系樹脂、ポリカーボネート系樹脂、ポリエチレン系樹脂、ポリプロピレン系樹脂、ポリスチレン系樹脂等が挙げられ、とくに透明性に優れるポリエステル系樹脂のポリエチレンテレフタレート樹脂が好適に用いることができる。
【００２３】
そして、ブリスターパック１は、台紙３の表面３ａを店頭展示側とする表示面とされ、台紙３とブリスター４とが封止された状態で、収容部４１に収容される歯ブラシ２の植毛部２１及びハンドル部２３の末端２３ａが台紙３とブリスター４によって挟持されて固定されている。
【００２４】
次に、上述したように構成されたブリスターパック１の作用について説明する。
図１及び図３に示すように、本実施の形態では、ブリスター４の収容部４１の天壁４４が全体にわたって滑らかな一つの平坦面を形成しており、ブリスターパック１を正面から見たときにブリスター４の天壁４４に屈曲線が無い構成となる。そのため、歯ブラシ２や台紙３の表面３ａに記載された表示部分が変形するなど歪んで見え難くなることがなく、視認性が良好となり、店頭表示性の向上を図ることができる。
【００２５】
そして、歯ブラシ２の長さ方向の両端がブリスター４の固定部４２、４３によって固定されているので、歯ブラシ２がブリスター４の収容部４１内で回転したり移動したりすることがなく、同じ姿勢を保持することができることから、前記店頭表示性を確保することができる。
【００２６】
また、本実施の形態では、ブリスター４の天壁４４が一つのみの凸形状であり全体的に平坦面をなしているので、台紙３の中間部分に記載された表示や歯ブラシ２の形状の視認性の向上を図ることができる。
【００２７】
上述のように本実施の形態によるブリスターパックでは、歯ブラシ２の回転や移動をブリスター４の固定部４２、４３によって防止するように固定しつつ、且つ視認性を確保することにより優れた店頭展示性を得ることができるという効果を奏する。
【００２８】
以上、本発明に係るブリスターパックの実施の形態について説明したが、本発明は上記した実施の形態に限定されるものではなく、その趣旨を逸脱しない範囲で適宜変更可能である。
【００２９】
例えば、本実施の形態では、ブリスター４の天壁４４の形状が、長手方向Ｘのほぼ中央位置に頂部４４ａを有する凸形状となっているが、このような形状に限定されることはなく、一対の固定部４２、４３同士の間の中間部分において、天壁４４が滑らかな一つの平坦面に形成されていれば他の形状であってもよい。
【００３０】
例えば、図６及び図７に示すように、天壁４４の頂部の位置を長手方向Ｘで上側又は下側にずれた位置とすることが可能である。図６に示す第２の実施の形態によるブリスターパック１Ａは、側面視で天壁４４の頂部４４ｂの位置が長手方向Ｘで上側（歯ブラシ２の植毛部２１側）に寄った形状となっている。図７に示す第３の実施の形態によるブリスターパック１Ｂは、側面視で天壁４４の頂部４４ｃの位置が長手方向Ｘで下側（歯ブラシ２のハンドル部２３の末端２３ａ側）に寄った形状となっている。
【００３１】
また、図８及び図９に示すように、第４の実施の形態によるブリスターパック１Ｃは、天壁４４が台紙３と平行な面（平行面４４ｄ）を有する形状のものである。この平行面４４ｄは、長手方向Ｘの略中央部に位置している。第４の実施の形態では、一方のブリスターパック１の天壁４４の平行面４４ｄと、他方のブリスターパック１の台紙３の裏面３ｂとを平行に合わせて配列することができるので、複数のブリスターパック１の整列性を向上させることができ、店頭展示性を高めることができる。
【００３２】
さらに、本実施の形態では、台紙として紙台紙を使用しているが、例えばプラスチック等の他の材質の台紙を用いることも可能である。
【００３３】
さらにまた、本実施の形態では、ブリスターパック１、１Ａ〜１Ｃで収容する内容物を歯ブラシ２としているが、歯ブラシ２に限定されることはなく、他の内容物も適用対象とすることができる。
【００３４】
その他、本発明の趣旨を逸脱しない範囲で、上記した実施の形態における構成要素を周知の構成要素に置き換えることは適宜可能である。
【符号の説明】
【００３５】
１、１Ａ〜１Ｃ  ブリスターパック
２  歯ブラシ（内容物）
３  台紙
４  ブリスター
３１  本体部
３２  係止部
４１  収容部
４２  第１固定部
４３  第２固定部
４４  天壁
４４ａ、４４ｂ、４４ｃ  頂部
４４ｄ  平行面
Ｘ  長手方向
【図１】
2014172629.tif 000003
【図２】
2014172629.tif 000004
【図３】
2014172629.tif 000005
【図４】
2014172629.tif 000006
【図５】
2014172629.tif 000007
【図６】
2014172629.tif 000008
【図７】
2014172629.tif 000009
【図８】
2014172629.tif 000010
【図９】
2014172629.tif 000011